(57)【要約】【課題】貨物２２・２３に合わせてテーブル本体１を高くしたり低くして各種の貨物２２・２３を効率良く運搬する。【解決手段】トラック２０の箱形荷台２１を上下に仕切るテーブル本体１に、トラック２０の箱形荷台２１の約半分の高さの脚３を折畳み自在に設ける荷物載せ台において、矩形のテーブル本体１の対向する側部に脚ホルダ２を固定させ、互いに連通させる遊嵌孔１１と係合孔１２を脚ホルダ２に設けると共に、遊嵌孔１１または係合孔１２に移動可能なキー部材１０を脚３の上部に設けることを特徴とする。【選択図】        図５
2005041299.tif 000002
【特許請求の範囲】
【請求項１】
トラックの箱形荷台を上下に仕切るテーブル本体に、トラックの箱形荷台の約半分の高さの脚を折畳み自在に設ける荷物載せ台において、矩形のテーブル本体の対向する側部に脚ホルダを固定させ、互に連通させる遊嵌孔と係合孔を脚ホルダに設けると共に、遊嵌孔または係合孔に移動可能なキー部材を脚の上部に設けることを特徴とする荷物載せ台。
【請求項２】
床面上を転動自在な輪体を脚の下部側面に設けると共に、遊嵌孔にキー部材を内挿させてテーブル本体と脚を略平行に設ける状態下で、フォークリフトカーのフォークをテーブル本体と脚の間に出入させる空間を設けることを特徴とする請求項１に記載の荷物載せ台。
【発明の詳細な説明】
【０００１】
【発明の属する技術分野】
本発明は、トラックの箱形荷台またはコンテナ等を上下に仕切って荷台空間を有効に活用する荷物載せ台に関する。
【０００２】
【従来の技術】
従来、荷物を多段に積載させる技術がある。（例えば特許文献１参照）
【０００３】
【特許文献１】特公平８−１８５０８号公報
【０００４】
【発明が解決しようとする課題】
前記従来技術は、上下多段に荷物を載せることができるが、トラックの荷台に支柱（脚）を固定させ、上下段アーム（テーブル本体）を昇降シリンダによって上下に移動させるから、前記の支柱及びアームの折畳または分解などを容易に行い得ず、例えば往路で軽量貨物を二段積み運搬しかつ復路で重量物を一段積み運搬する作業などを容易に行い得ない等の問題がある。
【０００５】
【課題を解決するための手段】
然るに、本発明は、請求項１の如く、トラックの箱形荷台を上下に仕切るテーブル本体に、トラックの箱形荷台の約半分の高さの脚を折畳み自在に設ける荷物載せ台において、矩形のテーブル本体の対向する側部に脚ホルダを固定させ、互に連通させる遊嵌孔と係合孔を脚ホルダに設けると共に、遊嵌孔または係合孔に移動可能なキー部材を脚の上部に設けるもので、脚の横倒しによってテーブル本体を低くし得、貨物に合わせてテーブル本体を高くしたり低くして各種の貨物を効率良く運搬し得るものである。
【０００６】
また、請求項２の如く、床面上を転動自在な輪体を脚の下部側面に設けると共に、遊嵌孔にキー部材を内挿させてテーブル本体と脚を略平行に設ける状態下で、フォークリフトカーのフォークをテーブル本体と脚の間に出入させる空間を設けるもので、フォークリフトカーのフォークを用いてテーブル本体を持上げたり降すことにより、脚を起立させたり倒状させる作業を容易に行い得、荷物を運搬するフォークリフトカーを用いてテーブル本体の高さを容易に変更し得るものである。
【０００７】
【発明の実施の形態】
以下、本発明の実施例を図面に基づいて詳述する。図１は全体の正面図であり、四角パイプで形成する格子形のテーブル本体１と、平面視矩形のテーブル本体１の対向する側部下面に固定させる脚ホルダ２と、脚ホルダ２に折畳み自在に設ける脚３とを備えるもので、図２、図３のように、フォークリフトカーのフォーク４によってテーブル本体１を支えて脚３を起立または倒状させ、図３の状態でテーブル本体１と脚３の間に木材製のスペーサ５を挾んでフォーク４を出入させる空間６を形成する。
【０００８】
さらに、図４、図５に示す如く、横フレーム７と二組４本の縦フレーム８と上下２本の補強フレーム９によって脚３を構成し、端面が楕円形の平板形のキー部材１０を縦フレーム８の上端に固定させ、キー部材１０の長手方向と略同一直径の円形の遊嵌孔１１と、キー部材１０の端面と略同一大きさの長孔形の係合孔１２とを脚ホルダ２に開設させ、遊嵌孔１１上部と係合孔１２カブを連通させて各孔１１・１２間で移動自在にキー部材１０を内挿させ、係合孔１２にキー部材１０を係入させて脚８を起立姿勢でホルダ２に固定させ、テーブル本体１を脚８によって所定高さに支える一方、フォーク４によってテーブル本体１を持ち上げることにより、キー部材１０が遊嵌孔１１に移動し、キー部材１０を支点に脚８が回転して倒状する。なお、図３のように、脚８が倒状しているとき、フォーク４によってテーブル本体１を持上げることによって脚８が垂直方向に回転し、次いでテーブル本体１の下降によって係合孔１２にキー部材１０が係入する。
【０００９】
また、図５のように、緩み防止バネ１３を介してボルト１４を脚ホルダ２に螺着させ、係合孔１２に係入しているキー部材１０のノッチ１５にボルト１４先端を圧着させ、キー部材１０を固定させると共に、脚３の横フレーム７側面に軸１６の両端部を固定させ、横フレーム７側面の切欠１７を介して軸１６の中間に丸パイプローラ形の輪体１８を回転自在に軸支させ、図２、図３のように、脚３が倒状姿勢のときに輪体１８を床面上に転動させ、脚３の起状動作をスムーズに行わせる。なお、複数のテーブル本体１を並設させるとき、隣り合う脚３の補強フレーム９をボルト孔１９を介してボルト止め固定させ、脚３を連結させて複数のテーブル本体を連設させる。
【００１０】
さらに、図８にも示す如く、トラック２０の箱形荷台２１を上下に仕切るテーブル本体１に、トラック２０の箱形荷台２１の約半分の高さの脚３を折畳み自在に設ける荷物載せ台において、矩形のテーブル本体１の対向する側部に脚ホルダ２を固定させ、互に連通させる遊嵌孔１１と係合孔１２を脚ホルダ２に設けると共に、遊嵌孔１１または係合孔１２に移動可能なキー部材１０を脚３の上部に設け、脚３の横倒しによってテーブル本体１を低くし、貨物２２・２３に合わせてテーブル本体１を高くしたり低くして各種の貨物２２・２３を効率良く運搬すると共に、床面上を転動自在な輪体１８を脚３の下部側面に設けると共に、遊嵌孔１１にキー部材１０を内挿させてテーブル本体１と脚３を略平行に設ける状態下で、フォークリフトカーのフォーク４をテーブル本体１と脚３の間に出入させる空間６を設け、フォークリフトカーのフォーク４を用いて、テーブル本体１を持上げたり降すことにより、脚３を起立させたり倒状させる作業を行い、荷物を運搬するフォークリフトカーを用いてテーブル本体１の高さを変更させる。
【００１１】
そして、図８のように、脚３を起立させてテーブル本体１を高位置に設け、荷台２１をテーブル本体１によって上下に仕切り、荷台２１床面とテーブル本体１上面とに嵩張って軽い貨物２２を積み、荷台２１を有効に利用すると共に、脚３を倒してテーブル本体１を荷台２１床面の低い位置に設け、重い貨物２３または高い貨物をテーブル本体１上面に積むもので、貨物２２・２３を荷台２１側面からフォークリフトカーによって出入させると共に、同じフォークリフトカーを用いてテーブル本体１の上げ降しを行う。
【００１２】
【発明の効果】
以上実施例から明らかなように本発明は、請求項１の如く、トラック２０の箱形荷台２１を上下に仕切るテーブル本体１に、トラック２０の箱形荷台２１の約半分の高さの脚３を折畳み自在に設ける荷物載せ台において、矩形のテーブル本体１の対向する側部に脚ホルダ２を固定させ、互に連通させる遊嵌孔１１と係合孔１２を脚ホルダ２に設けると共に、遊嵌孔１１または係合孔１２に移動可能なキー部材１０を脚３の上部に設けるもので、脚３の横倒しによってテーブル本体１を低くすることができ、貨物２２・２３に合わせてテーブル本体１を高くしたり低くして各種の貨物２２・２３を効率良く運搬することができるものである。
【００１３】
また、請求項２の如く、床面上を転動自在な輪体１８を脚３の下部側面に設けると共に、遊嵌孔１１にキー部材１０を内挿させてテーブル本体１と脚３を略平行に設ける状態下で、フォークリフトカーのフォーク４をテーブル本体１と脚３の間に出入させる空間６を設けるもので、フォークリフトカーのフォーク４を用いて、テーブル本体１を持上げたり降すことにより、脚３を起立させたり倒状させる作業を容易に行うことができ、荷物を運搬するフォークリフトカーを用いてテーブル本体１の高さを容易に変更することができるものである。
【図面の簡単な説明】
【図１】全体の正面図。
【図２】折畳み途中の説明図。
【図３】折畳み説明図。
【図４】脚の説明図。
【図５】脚ホルダ部の拡大図。
【図６】輪体部の拡大図。
【図７】同断面図。
【図８】使用説明図。
【符号の説明】
１    テーブル本体
２    脚ホルダ
３    脚
４    フォーク
６    空間
１０  キー部材
１１  遊嵌孔
１２  係合孔
１８  輪体
２０  トラック
２１  荷台
【図１】
2005041299.tif 000003
【図２】
2005041299.tif 000004
【図３】
2005041299.tif 000005
【図４】
2005041299.tif 000006
【図５】
2005041299.tif 000007
【図６】
2005041299.tif 000008
【図７】
2005041299.tif 000009
【図８】
2005041299.tif 000010